(57)【特許請求の範囲】
【請求項１】
本体ケースの対峙する取付ベース間に駆動軸を支持し、この駆動軸に、駆動軸に対して傾斜した少なくとも一対の揉みローラを取り付け、該一対の揉みローラを布製のカバーで覆い、駆動軸の回転により前記一対の揉みローラ間の間隔を変化させて前記布製カバーを介して揉みローラ間に置いた被施療部位をマッサージするものにおいて、
前記取付ベースより一体に、前記布製カバーより内側で取付ベースと該取付ベースと対面する揉みローラ間の間隔を覆い隠すカバーを形成し、該カバーの少なくとも上半分は、前記取付ベースと対面する揉みローラの最大径より大きな直径の半円筒状とすると共に、その先端を、取付ベースと揉みローラの間が最も広くなった際の揉みローラ上に位置させてなるマッサージ機。
【請求項２】
前記本体ケースを上下２分割構成とし、上側取付ベースに下半分が開放した前記半円筒状のカバーを一体成形し、下側取付ベースに上側を開放した筒状のカバーを一体成形してなる請求項１記載のマッサージ機。
【請求項３】
左右の前記下側取付ベースに形成した前記筒状のカバーの下辺どうしを連結してなる請求項２記載のマッサージ機。
【発明の詳細な説明】
【０００１】
【発明の属する技術分野】
本発明は、本体ケースの対峙する取付ベース間に支持された駆動軸に、駆動軸に対して傾斜した少なくとも一対の揉みローラを取り付け、駆動軸の回転により揉みローラ間の間隔を変化させて揉みローラ間に置いた被施療部位をマッサージするマッサージ機に関する。
【０００２】
【従来の技術】
従来、この種マッサージ機では、駆動軸の回転により一対の揉みローラ間の間隔が変化するので、取付ベースと、これと対面する揉みローラ間の間隔も変化する。そのため、取付ベースと揉みローラ間に指などが押し込まれた場合、取付ベースと揉みローラ間の間隔が広い場合は問題ないが、狭くなってくると挟まれる恐れがあった。
【０００３】
そこで、特開平５−１１１５１８号公報には、揉みローラの取付ベースに対面する端面に、取り付けベースとの間に生ずる断面テーパー状の空隙を埋めるようなテーパ形状の筒を形成したものが考案されている。しかしかかるものでも、構成上筒が回転するのでこの筒の端面と取り付けベースの間には間隔が必要であり、この間隔より、小さな子供の指などが挿入されたり、いたずらで棒のようなものが挿入されて内部の駆動軸が傷つけられるなどの恐れがあり、安全面及び品質面で充分な対策とはいえなかった。
【０００４】
【発明が解決しようとする課題】
本発明は、取付ベースと揉みローラ間に指や棒のようなものが挿入されることのない、安全で品質面においても優れたマッサージ機を提供することを課題とする。
【０００５】
【課題を解決するための手段】
本発明は、本体ケースの対峙する取付ベース間に駆動軸を支持し、この駆動軸に、駆動軸に対して傾斜した少なくとも一対の揉みローラを取り付け、該一対の揉みローラを布製のカバーで覆い、駆動軸の回転により一対の揉みローラ間の間隔を変化させて布製カバーを介して揉みローラ間に置いた被施療部位をマッサージするマッサージ機で、前記取付ベースより一体に、前記布製カバーより内側で取付ベースと該取付ベースと対面する揉みローラ間の間隔を覆い隠すカバーを形成し、該カバーの少なくとも上半分は、前記取付ベースと対面する揉みローラの最大径より大きな直径の半円筒状とすると共に、その先端を、取付ベースと揉みローラの間が最も広くなった際の揉みローラ上に位置させたものである。
【０００６】
かかる構成により、取付ベースと該取付ベースと対面する揉みローラ間の間隔はカバーで覆われるが、このカバーは取付ベースより一体に形成され、その少なくとも上半分は、揉みローラの最大径より大きな直径の半円筒状で且つその先端を、取付ベースと揉みローラの間が最も広くなった際の揉みローラ上に位置させたことにより、取付ベースと取付ベースと対面する揉みローラ間の間隔が駆動軸の回転により広くなったり狭くなったり変化しても、完全にカバーで覆い隠すことができ、安全性や品質面での向上が可能となる。
【０００８】
さらに、このカバーを前記取付ベースに一体成形することにより、部品点数が増えることなく、組立の簡略化、コストの低減化ができる。
【０００９】
具体的には、前記本体ケースを上下２分割構成とし、上側取付ベースに下半分が開放した半円筒状のカバーを一体成形し、下側取付ベースに上側を開放した筒状のカバーを一体成形したものである。
【００１０】
ここで、左右の前記下側取付ベースに形成した前記筒状のカバーの下辺どうしを連結してもよい。このようにすれば、左右の取付ベース間が補強され、本体ケースの補強になる。
【００１１】
【発明の実施の形態】
本発明のマッサージ機を一実施例として示した図１乃び図２に基づき説明する。１は平面形状がコ字型をした合成樹脂製の本体ケースで、上下２分割可能に構成されている。この本体ケース１の対峙する取付ベース２、３間に後述する揉みローラが装備される。本体ケース１の取付ベース２、３を連結する部分はハンドル４となる。５は本体ケースを床面に設置するための脚で、本体ケース１の下面四隅にある。
【００１２】
取付ベース３内には、モータ６が配設されている。モータ６は防振用ゴム７を介して取付金具８により取付ベース３に固定される。このモータ６の駆動力は、ウォーム１２、ウォームホイール１１の減速装置を介して駆動軸９に伝達される。１０は減速装置を収納するギアケースである。ウォームホイール１１は駆動軸９に固定され、ウォーム１２は、モータ６の軸に連結固定されている。１３はモータ６を制御するための制御部、１４は電源コードを示す。
【００１３】
前記駆動軸９は取付ベース２、３の対峙壁間に、軸受１５、１５でもって回転自在に支持されている。軸受１５，１５は、上側と下側の本体ケース１間に挟持される。
【００１４】
前記駆動軸９には、二組の相反する方向に傾斜した一対の揉みローラ２２ａ、２２ｂ、及び２２ｃ、２２ｄが取り付けられている。（以下図１で左側の組の揉みローラ２２ａ、２２ｂを総称して２２Ｌ、右側の揉みローラ２２ｃ、２２ｄを総称して２２Ｒと夫々いう）各揉みローラ２２ａ〜２２ｄは、駆動軸９に対して回転方向に固定されて駆動軸９と一体に回転する揉み基台２３と、揉み基台２３の外周に複数の鋼球２４を介して回転自在に装着された遊転部２５から構成される。遊転部２５は、鋼球２４に対する摺動面を夫々有する外側環状押さえ板２６と、内側環状押さえ板２７と、これら両環状押さえ板２６、２７により挟持される弾性体からなる揉み体２８とから構成される。内側環状押さえ板２７には、複数の開口が周方向に配列され、この開口より揉み体２８に形成された弾性突部２９が突出している。３０は両環状押さえ板２６、２７を連結するネジある。
【００１５】
ここで前記揉み基台２３のうち、各組の揉みローラ２２Ｌ、２２Ｒの内側の揉みローラ２２ｂ、２２ｃの揉み基台は一体に形成され、外側の揉みローラ２２ａ、２２ｄの揉み基台は夫々独立している。そこで、これらの揉み基台を区別するために、外側の揉みローラ２２ａ、２２ｄに対する揉み基台を２３ａ、内側の揉みローラ２２ｂ、２２ｃに対する揉み基台を２３ｂとし、これらの総称を２３とする。
【００１６】
そこで駆動軸９が回転すると、揉み基台２３は回転するが、遊転部２５は、足等の被施療部位を一対の遊転部２５、２５間に挿入するなどして負荷が加わった状態になると、鋼球２４の転動を伴って非回転状態を保ち、鋼球２４の摺動面が駆動軸９の軸線と平行でなく傾斜しているので、駆動軸９に対する傾倒角度を変えて、その対向面を接近離反する動作を繰り返す。従って、この間に挟まれた被施療部位を揉みマッサージすることができる。前記突部２９はこの際被マッサージ部位を押圧する。
【００１７】
ところで、一方の組の揉みローラ２２Ｌを構成する揉みローラ２２ａ、２２ｂと、他方の組の揉みローラ２２Ｒを構成する揉みローラ２２ｃ、２２ｄは、駆動軸９に対して相反する方向に対称的に傾斜しているが、その傾斜の位相差が１８０度づれている。
【００１８】
即ち、外側の揉みローラ２２ａと２２ｄどうしがが平行に、内側の揉みローラ２２ｂと２２ｃどうしが平行になるように各揉み基台２３ａ、２３ｂが駆動軸９に固定されており、その結果、例えば左側の組の一対の揉みローラ２２ａ、２２ｂ間の間隔が狭いときは右側の組の一対の揉みローラ間２２ｃ、２２ｄの間隔は広く、反対に一対の揉みローラ２２ａ、２２ｂ間の間隔が広いときは一対の揉みローラ２２ｃ、２２ｄ間の間隔が狭くなるようにしたものである。
【００１９】
従って、各組の揉みローラ２２Ｌと２２Ｒの一対の揉みローラ間に置かれた両足等の被施療部位は、揉み体２８によって同時に圧迫されることはなく交互に圧迫される。その結果、人体への負担が軽減される。また各組の揉みローラに同時に過大な負荷が加わることがないので、駆動源であるモータ６の負担も少なく、モータ６の小型化が可能になる。
【００２０】
また、二組の揉みローラ２２Ｌ、２２Ｒが軸方向に並べられていても上述のような配置関係にあるので、マッサージ機全体の幅（駆動軸９方向の長さ）を最小限に抑えることができる。
【００２１】
駆動軸９の各組の一対の揉みローラ２２ａ、２２ｂ及び２２ｃ、２２ｄ間には、駆動軸９により回転される筒状のスペーサ３２が取り付けられ、このスペーサ３２によって、被施療部位が揉みローラ２２ａ、２２ｂ間及び２２ｃ、２２ｄ間に深く侵入しすぎないように保護している。このスペーサ３２に図示しないが、刺激用突部を設ければ、この突部によって例えば各組の揉みローラ２２Ｌ、２２Ｒで足を揉みながら足裏を刺激することができる。
【００２２】
ところで、取付ベース２や３とこれと対面する揉みローラ２２ａ、２２ｄとの間に指等が挿入されないように、本発明では、取付ベース２や３より一体に、取付ベース２や３と揉みローラ２２ａ、２２ｄとの間隙を覆い隠すようなカバー３６が形成されている。
【００２３】
このカバー３６は、少なくともその上半分３６ａが揉みローラ２２ａ、２２ｄの最大径より大きな直径の半円筒状になっていると共に、その軸方向の長さを、その先端が取付ベースと揉みローラの間が最も広くなった（図１で間隔Ｂで表す）際の揉みローラ上に位置するような寸法に設定されている。このことにより、取付ベースと揉みローラの間の間隔をいかなる状態においても完全に覆い隠すことができる。
【００２４】
又このカバー３６は、上下２分割構成とした本体ケース１の上側取付ベースに下半分が開放した上記半円筒状のカバー３６ａを一体成形し、下側取付ベースに上側を開放した筒状のカバー３６ｂを一体成形して、上下２分割された本体ケースを組み立てる際に、カバー３６が同時に構成されるようにしている。
【００２５】
上記カバー３６によって、取付ベース２や３とこれと対面する揉みローラ２２ａ、２２ｄとの間に指等が挿入されて挟まれるといったことはなくなり、また、いたずらで棒等が挿入されて駆動軸９を傷つけるといったことも防止でき、安全性と品質面での安定性を確保することができる。
【００２６】
また、左右にある下側の筒状のカバー３６ｂの下辺３６ｃどうしは、図示しない連結板で連結されている。連結板は下辺３６ｃと一体に形成されている。このようにすることにより、左右の取付ベース２、３間が補強され、本体ケース１の補強になる。
【００２７】
上記各揉みローラ２２Ｌ、２２Ｒとカバー３６は布製のカバー３５で覆われ、このカバー３５を介して足等の被施療部位を揉みローラ２２ａ、２２ｂや２２ｃ、２２ｄ間に置いて、上述のように揉みマッサージをするものである。この際、上記円筒状のカバー３６は、各外側の揉みローラ２２ａ、２２ｄと取付ベース２、３との間に布製のカバー３５が巻き込まれないようにする働きも有する。また、各内側の揉みローラ２２ｂ、２２ｃどうしの間にも、カバー３５が巻き込まれないようにするために、揉み基台２３ｂには、カバー３７が取り付けられている。
【００２８】
以上の実施例では、一方の組の揉みローラ２２Ｌを構成する揉みローラ２２ａ、２２ｂと、他方の組の揉みローラ２２Ｒを構成する揉みローラ２２ｃ、２２ｄは、駆動軸９に対する傾斜の位相差が１８０度づれている、即ち、揉みローラ２２ａ、２２ｂ間の間隔が狭いときは揉みローラ間２２ｃ、２２ｄの間隔は広く、反対に揉みローラ２２ａ、２２ｂ間の間隔が広いときは揉みローラ２２ｃ、２２ｄ間の間隔が狭くなるようになっているが、この位相差は１８０度でなくともよく、ゼロ、即ち、揉みローラ２２ａ、２２ｂ間の間隔が狭いときは揉みローラ間２２ｃ、２２ｄ間の間隔も狭く、反対に揉みローラ２２ａ、２２ｂ間の間隔が広いときは揉みローラ２２ｃ、２２ｄ間の間隔も広くなるようにしてもよい。
【００２９】
また、以上の実施例では、駆動軸９に二組の一対の揉みローラ２２Ｌ、２２Ｒのみを取り付けているが、各組の揉みローラの内側の揉みローラ２２ｂ、２２ｃの揉み基台２３ｂを分割して両揉みローラ２２ｂ、２２ｃ間に、例えば図３に示すような回転ローラ１６を取り付けてもよい。
【００３０】
同図において、回転ローラ１６は、駆動軸９に固定された一対の支持筒１７、１７と、この支持筒１７の外側に周設された支持フランジ１８、１８と、この支持フランジ１８、１８間に周方向に等配をなして架設支持された複数本のローラ軸１９とを備え、このローラー軸１９に、刺激用の突部となる刺激用玉２０と、刺激用玉２０の位置がずれないようにするスペーサ２１が、夫々回転自在に支持されている。ローラ軸１９には、両側に二つの刺激用玉２０、２０と中央に一つのスペーサ２１が支持されたものと、中央に一つの刺激用玉２０と両側に二つスペーサ２１、２１が支持されたものが支持フランジ１８の周方向に交互に配設されている。
【００３１】
駆動軸９の回転により回転ローラ１６が回転し、刺激用玉２０は、自転しながら駆動軸９の周りを公転し、例えば足裏等の被マッサージ部位を刺激してマッサージする。
【００３２】
また図３において、各組の揉みローラ２２Ｌ、２２Ｒのうち、外側の揉みローラ２２ａ、２２ｄの揉み基台２３ａは駆動軸９に対しその回転方向のみならず軸方向にも固定されているが、各内側の揉みローラ２２ｂ、２２ｃの揉み基台２３ｂは、軸方向には摺動可能になっている。そして、この揉み基台２３ｂと回転ローラ１６の支持筒１７との間には、揉み基台２３ｂを常時外側へ付勢する弾性体（コイルスプリング）３１が介在されている。図３は各内側の揉みローラ２２ｂ、２２ｃが最も外側に位置し、各一対の揉みローラ２２ａ、２２ｂ及び２２ｃ、２２ｄ間の間隔が最も狭くなった状態である。
【００３３】
これは、揉みローラ２２ａ、２２ｂ及び２２ｃ、２２ｄ間に被施療部位より大きな負荷が加わった場合に、内側の揉みローラ２２ｂ、２２ｃが弾性体３１に抗して内方（マッサージ機の中心側）へ退避し、一対の揉みローラ２２ａ、２２ｂ及び２２ｃ、２２ｄ間の間隔を拡げ、被マッサージ部位に過大な圧力が加わることを防止するためである。
【００３４】
また、図３においては、各組の一対の揉みローラ２２ａ、２２ｂ及び２２ｃ、２２ｄ間の駆動軸９に取り付けられたスペーサ３２には、刺激用突部となる球体３３が軸３４により回転自在に取り付けられ、この球体３３により、例えば各組の揉みローラ２２Ｌ、２２Ｒで足を揉みながら足裏を刺激することができる。
【００３５】
なお、図３において、図１と同様なものには、同じ符号を附して、説明は省略する。
【００３６】
【発明の効果】
本願の請求項１の発明によれば、取付ベースより一体に、取付ベースと該取付ベースと対面する揉みローラ間の間隔を覆い隠すカバーを設け、その少なくとも上半分は、揉みローラの最大径より大きな直径の半円筒状で且つその先端を、取付ベースと揉みローラの間が最も広くなった際の揉みローラ上に位置させたことにより、取付ベースと取付ベースと対面する揉みローラ間の間隔が駆動軸の回転により広くなったり狭くなったり変化しても、いかなる状態においても完全にカバーで覆い隠すことができ、その結果、この間隔に指等が挿入されて挟まれるといったことはなくなり、また、いたずらで棒等が挿入されて駆動軸を傷つけるといったことも防止でき、安全性と品質面での安定性を確保することが可能となる。またこのカバーを取付ベースに一体成形したので、部品点数が増えることなく、コストの低減化ができる。
【００３８】
また本願の請求項２の発明によれば、本体ケースを上下２分割構成とし、上側取付ベースに下半分が開放した半円筒状のカバーを一体成形し、下側取付ベースに上側を開放した筒状のカバーを一体成形したもので、上下２分割された本体ケースを組み立てる際に、カバーが同時に形成することができ、コストの低減と共に、組立の簡素化が可能となる。
【００３９】
また、本願の請求項３の発明によれば、左右の下側取付ベースに形成した筒状のカバーの下辺どうしを連結したので、左右の取付ベース間が補強され、しいては本体ケースの補強になる。
【図面の簡単な説明】
【図１】本発明のマッサージ機の平面横断面図である。
【図２】同マッサージ機の側面縦断面図である。
【図３】本発明の他の実施例を示すマッサージ機の平面横断面図である。
【符号の説明】
１      本体ケース
２      取付ベース
３      取付ベース
９      駆動軸
２２ａ    揉みローラ
２２ｂ    揉みローラ
２２ｃ    揉みローラ
２２ｄ    揉みローラ
３６      カバー
【図１】
0003857853.tif 000002
【図２】
0003857853.tif 000003
【図３】
0003857853.tif 000004